(57)【要約】  調整弁（１）であって、特に、液圧的なドアクローザ（１０）の、雌ねじ山（２）を備えた孔（３）内に固定可能であって、調整領域（５）を有する基体（４）と、回動防止装置と、孔（３）の雌ねじ山（２）内に配置可能なねじ山（７）とを有している形式のものにおいて、回動防止装置が、前記ねじ山（７）に配置され、弾性的なエレメント（６ｂ）を収容する少なくとも１つの溝（６ａ）を有している。
2010521599.tif 000002
【特許請求の範囲】
【請求項１】
調整弁（１）であって、特に、液圧的なドアクローザ（１０）の、雌ねじ山（２）を備えた孔（３）内に固定可能であって、調整領域（５）を有する基体（４）と、回動防止装置と、孔（３）の雌ねじ山（２）内に配置可能なねじ山（７）とを有している形式のものにおいて、
回動防止装置が、前記ねじ山（７）に配置され、弾性的なエレメント（６ｂ）を収容する少なくとも１つの溝（６ａ）を有しており、前記基体（４）が、弁座（１１）に面した側に中空室（１２）を有しており、該中空室（１２）内に、調整領域（５）が延びていて、調整領域（５）が基体（４）に固定されていることを特徴とする調整弁。
【請求項２】
弾性的なエレメント（６ｂ）が形状接続的及び／又は摩擦接続的及び／又は材料接続的に溝（６ａ）に配置されている、請求項１記載の調整弁。
【請求項３】
調整領域（５）が、前記基体（４）とは反対側であって円錐状に形成されている自由端部を有している、請求項１又は２記載の調整弁。
【請求項４】
調整領域（５）が基体（４）に射出成形法により固定されている、請求項１から３までのいずれか１項記載の調整弁。
【請求項５】
基体（４）及び／又は調整領域（５）がプラスチック材料から成っていて、特に基体（４）が繊維強化プラスチッから成っている、請求項１から４までのいずれか１項記載の調整弁。
【請求項６】
基体（４）が着色されて構成されている、請求項１から５までのいずれか１項記載の調整弁。
【請求項７】
ねじ山（７）が公称直径Ｄとコア直径ｄとを有しており、溝（６ａ）が、特にコア直径ｄと公称直径Ｄとの間にある溝深さを有するように形成されている、請求項１から６までのいずれか１項記載の調整弁。
【請求項８】
弾性的なエレメント（６ｂ）がプラスチック繊維（６ｂ）である、請求項１から７までのいずれか１項記載の調整弁。
【請求項９】
ドアクローザ（１０）が、流入通路（８）と、流出通路（９）と円錐状の弁座（１１）とを有しており、流体を、流入通路（８）を通して、弁座（１１）に沿って流出通路（９）へと案内可能である、請求項１から８までのいずれか１項記載の調整弁。
【請求項１０】
基体（４）が、中空室（１２）における少なくとも１つの開口（１３）を有して形成されており、該開口（１３）には調整領域（５）が充填されている、請求項１記載の調整弁。
【請求項１１】
弾性的なエレメント（６ｂ）がプラスチックから成る射出成形部品である、請求項１から１０までのいずれか１項記載の調整弁。
【発明の詳細な説明】
【技術分野】
【０００１】
本発明は、調整弁であって、該調整弁は、特に、液圧的なドアクローザの、雌ねじ山を備えた孔内に固定可能であって、調整領域を有する基体と、回動防止装置と、孔の雌ねじ山内に配置可能なねじ山とを有している形式のものに関する。
【０００２】
ＤＥ１０２２８８７２Ｂ４号特許明細書に開示されたドアクローザのための調整弁は、基体と調整領域とから成っている。基体には、調整弁を調整するためにねじ山が設けられており、このねじ山は、ドアクローザの孔内にねじ込み可能である。この場合、調整領域はスリーブ状に構成されていて、ボールジョイント結合を介して基体に結合されている。調整弁の、特に調整領域の不都合な回動を防止するために、調整領域に配置された、付加部又は突起として形成された回動防止装置が設けられている。このような付加部は、ドアクローザのケーシングの内側の溝において長手方向可動にガイドされている。
【０００３】
本発明の課題は、簡単に構成され、稼動中、調整弁の不都合な移動が行われないような冒頭で述べた形式の調整弁を提供することである。
【０００４】
この課題を解決するために、請求項１の特徴を備えた調整弁が提案される。従属請求項には有利な別の構成が記載されている。
【０００５】
さらに本発明によれば、回動防止装置が、ねじ山に配置され、弾性的なエレメントを収容する少なくとも１つの溝を有している。調整弁は、ドアクローザの内側にねじ込まれていて、調整弁においてドアクローザの閉鎖特性を調節することができる。本発明による調整弁は回動防止装置により確実な装着を有しており、調整弁が自然に回動したり、ずれることはない。ドアクローザの適当な閉鎖特性を得るために、通常、流れ通路に沿って案内される緩衝流体が使用される。調整弁を相応に調節することにより、少なくとも所定の個所で、流体のための流れ横断面を変更することができ、これによりドアクローザの閉鎖特性、特に閉鎖速度を調整することができる。流れる流体から調整弁へ力が作用するにも関わらず、回動防止装置は、調整弁がねじ山において、意図せず自然に誤調整されてしまわないように働く。調整弁がねじ込まれた状態では、弾性的なエレメントが溝の内側に位置し、ドアクローザの孔の雌ねじ山に直接的に接触し、これによりクランプ作用が得られる。このことは、孔の雌ねじ山と調整弁のねじ山との間の遊び空間が、弾性的なエレメントによって完全に埋められていることを意味している。これにより、特に雌ねじ山のねじ山側面と調整弁との間に高い面圧が形成される。このような形式の装置により、互いに係合するねじ山部分はもはや自然に回動してずれることがないことが示されている。さらに、調整弁の手動による、及び／又は所望の調節は、勿論引き続き可能である。換言すれば、調整弁はいつでも、規定された閉鎖特性に関する所望の要求に応じて調整することができ、回動防止装置は、特に生じる動力学的な負荷による自動的な回動を効果的に阻止する。  本発明の別の構成によれば、弾性的なエレメントは、形状接続的及び／又は摩擦接続的及び／又は材料接続的に溝内に配置されている。有利には弾性的なエレメントは溝内にプレス嵌めされ、これにより、調整弁の組み付け過程及び／又は調節過程に溝から外れる危険は生じない。ねじ山に配置されたこのような回動防止装置は、調整弁がねじ山において自動的に緩んだり外れたりすることを確実に防止する安価な手段である。この場合、ねじ山は、鋸歯状ねじ山、台形ねじ山、円形ねじ山、扁平ねじ山であって良い。溝は、有利には、調整弁の回転軸線に対して平行に延びている。さらに、溝は、調整弁のねじ山全体に沿って延びていても良い。別の選択的な構成では、ねじ山において複数の溝を有する調整弁を形成することができ、これらの溝は例えば、周方向で互いに１８０°又は１２０°ずらされて配置されている。しかしながら、特に液圧的なドアクローザでは、単に１つの溝及び１つの弾性的なエレメントが、確実に作用する回動防止装置として十分であることが示されている。
【０００６】
本発明の選択的な構成では、調整領域が、基体とは反対側で円錐状に形成された自由端部を有している。さらにドアクローザは、流入通路と流出通路と円錐状の弁座とを有しており、緩衝流体は、流入通路を通って弁座に沿って流出通路へと案内可能である。調整領域の自由端部は、ドアクローザの弁座にほぼ適合している。通常、弁座と調整弁の円錐状の端部との間に所定の間隔があり、これにより流体は、弁座と調整領域の円錐状の端部との間の流入通路から、流出通路の方向に流れることができる。
【０００７】
調整弁の可能な選択的な構成では、基体と調整領域とが一体的に、材料統一的に形成されている。さらに勿論、基体と調整領域とが２つの異なる材料から製造されることが考えられる。このような構成では、調整領域が基体に、特に射出成形法によって配置されている。基体は、金属、例えば、亜鉛、真鍮、又は鋼から成っていて良く、調整領域は有利にはプラスチック材料から成っている。特に高い強度を得るために、上記プラスチックは繊維強化されていて良く、特にプラスチックは、所定の割合のガラス繊維及び／又は炭素繊維及び／又はアラミド繊維を有していて良い。勿論、基体もプラスチックから製造されていても良い。プラスチックを有した調整領域を構成することにより、ドアクローザの閉鎖特性は、温度が変化した場合であってもほぼ変化しないことが示されている。プラスチックから成る基体は、例えば別の構成では、容易に着色することができ、これにより様々な種類の調整弁の視覚的な差違を簡単に視覚化することができる。有利には、基体と調整領域とは、２Ｋ（二成分）射出成形法によって互いに結合されている。考え得る選択的構成では、弾性的なエレメントを、プラスチックから成る射出成形部品として溝内に取り付けることができると有利である。
【０００８】
調整領域を基体に確実に保持することを保証するために、基体は、弁座に面した側に中空室を有するように形成されていて、この中空室内には調整領域が延びている。この場合、基体は、中空室において少なくとも１つの開口を有するように形成することができ、この開口には調整領域が充填されている。従って調整領域は、基体の開口内にも延びており、これにより基体における調整領域の固定はさらに強化される。
【０００９】
調整弁の有利な構成では、基体または調整領域にも形成することができるねじ山は、公称直径Ｄとコア直径ｄとを有しており、溝は、特にコア直径ｄと公称直径Ｄとの間位置する溝深さを有するように構成されている。調整弁の組み付け状態では、弾性的なエレメントが、ドアクローザの雌ねじ山と調整弁のねじ山との間の中間スペースを埋めており、これにより互いに係合するねじ山部分において高い面圧が得られる。
【００１０】
弾性的なエレメントは、例えば溝にプレス嵌めされるプラスチック繊維であって良い。有利には、溝は、ねじ山に、フライス加工により、コア直径の直前まで設けられる。本発明の選択的な構成では、プラスチック繊維はナイロン繊維として形成されている。
【００１１】
本発明のさらなる利点、特徴、詳細は、図面につき詳しく説明した本発明の実施例についての以下の記載にある。特許請求の範囲、明細書に記載した特徴は、それぞれ個別にそれ自体、または任意に組み合わせた状態で本発明の本質を成す。
【図面の簡単な説明】
【００１２】
【図１】溝及び弾性的なエレメントを有する回動防止装置を備えた本発明による調整弁を示した図である。
【図２】図１の調整弁をＩＩ−ＩＩ線に沿って断面した図である。
【図３】溝の内側の弾性的なエレメントを拡大して示した図である。
【図４】本発明による調整弁を、液圧的なドアクローザの内側に組み込まれた状態で示した図である。
【００１３】
図１には、液圧的なドアクローザのために設けられた調整弁１が示されている。液圧的なドアクローザとは例えば、ドイツ連邦共和国特許出願公開第１０３６１０８５号明細書に記載のカム偏心ディスク又はドイツ連邦共和国特許第１９９０１２３４号明細書に記載のラックによって運転可能な種々様々なドアクローザである。調整弁１は、図示の実施例では金属から成っている基体４を有している。基体４の頭部領域には、図２に示されたようにスリット１５が形成されている。このようなスリット１５によって、取り付け作業者は、調整弁１を、図４に示されたドアクローザ１０の孔３内にねじ込むことができ、ドアクローザ１０の閉鎖特性を相応に調整することができる。さらに基体４にはねじ山７が設けられており、このねじ山７は、ドアクローザ１０の雌ねじ山２と協動する。ねじ山７は、精密ねじ山として形成されていて、溝６ａと弾性的なエレメント６ｂとから成る回動防止手段を有している。溝６ａは、図１に示したように、ねじ山７全体に沿って、調整弁１の回転軸線１７に平行に延びている。勿論、溝６ａは、図３に拡大して示したような一部分領域においてのみ延びていても良い。
【００１４】
さらに、調整弁１は調整領域５を有しており、この調整領域５は、射出成形法によって基体４に配置されている。調整領域５はプラスチック材料から成っていて、プラスチック材料とはこの実施例ではポリアセタール（ＰＯＭ）であって、この材料はとりわけ、良好な電気的特性、良好な耐化学物質性、高い耐摩耗性を特徴とする。調整領域５は、基体４とは反対側の自由端部において円錐状に減径するように形成されている。
【００１５】
金属性の基体４は、スリット１５とは反対の側に中空室１２を有しており、この中空室１２内には調整領域５が完全に延びている。さらに中空室１２には２つの円形の開口１３が配置されており、これらの開口１３にも同様に調整領域５が充填されている。ねじ山７とスリット１５との間には、図４に明示されたシールエレメント１６のための収容部１４が設けられている。
【００１６】
図３に示したように、ねじ７は、公称直径Ｄとコア直径ｄとを有しており、ねじ山７にフライス加工されている溝６ａの溝深さは、コア直径ｄと公称直径Ｄとの間にある。調整弁１を孔３にねじ込む際には、付加的なクランプ作用が、本発明による回動防止装置６ａ，６ｂにより得られる。特に図３に示されているように、調整弁１のねじ山７と孔３の雌ねじ山２との間の軸方向の遊びスペースには弾性的なエレメント６ｂが充填されている。これにより、互いに係合するねじ山部分２，７の回動防止装置を有さないねじ山側面において特に、高い面圧が得られる。これは図３に矢印で示されている。溝６ａにプレス挿入された弾性的なエレメント６ｂはプラスチック繊維６ｂである。記載したこのような回動防止装置６ａ，６ｂの特別な利点は、これらが、調整弁１の自動的な誤調整を確実に防止することにある。同時に、調整弁１は手動でいつでも回動させることができ、かつ／又は孔３から外すことができる。
【００１７】
図４に示したように、調整領域５の自由端部は、ドアクローザ１０の円錐状の弁座１１に位置している。調整領域５の円錐状の端部の領域には流入通路８が位置していて、この通路にはオイルが案内される。通常、調整領域５の円錐状の端部は、弁座１１に直接載置されているのではないので、オイルは、弁座１１と調整領域５の自由な円錐状の端部との間に形成された狭い通路を通って、流出通路９の方向に流れることができる。調整弁１においては、オイルのための流れ横断面を調節することができ、これにより特に、ドアクローザ１０の閉鎖特性に影響を与えることができる。流れるオイルによって調整弁１に作用する力によっては、記載した回動防止装置６ａ，６ｂにより、製造誤差領域であっても調整弁１の不都合な回動は生じない。
【符号の説明】
【００１８】
１  調整弁、  ２  ねじ山、  ３  孔、  ４  基体、  ５  調整領域、  ６ａ  溝、  ６ｂ  弾性的なエレメント、  ７  ねじ山、  ８  流入通路、  ９  流出通路、  １０  ドアクローザ、  １１  弁座、  １２  中空室、  １３  開口、  １４  シールエレメントのための収容部、  １５  スリット、  １６  シールエレメント、  １７  調整弁の回転軸線
【図１】
2010521599.tif 000003
【図２】
2010521599.tif 000004
【図３】
2010521599.tif 000005
【図４】
2010521599.tif 000006
【国際調査報告】
2010521599.tif 000007
2010521599.tif 000008
2010521599.tif 000009
2010521599.tif 000010
2010521599.tif 000011
2010521599.tif 000012